(57)【要約】カーペットパッティング面（１）は、その横方向の幅よりも長い長手方向の長さを有し且つ所定のパッティング位置マーキング（２）を備え、複数のほぼ「Ｖ」型のマーキングは、所定のパッティング位置マーキング（２）から離れて設けられ、ほぼ「Ｖ」型の各マーキングは、「Ｖ」の閉鎖端よりも、所定のパッティング位置マーキング（２）に近い「Ｖ」の開放端を有する。カーペットパッティング面（１）のスプール（１２）と回収装置（３４）とを有するキャリッジ（１３）を備えているゴルフボールパッティングを練習するための装置もまた提供されており、ボーリングアレイレーン（２２）に適用される。
2008541946.tif 000002
【特許請求の範囲】
【請求項１】
横方向の幅よりも長い長手方向の長さを有し且つ所定のパッティング位置マーキングと、前記所定のパッティング位置マーキングから離れて設けられている複数のほぼ「Ｖ」型のマーキングとを備え、ほぼ「Ｖ」型の各マーキングは、「Ｖ」の閉鎖端よりも、前記所定のパッティング位置マーキングに近い前記「Ｖ」の開放端を有するカーペットパッティング面。
【請求項２】
ボーリングアレイレーン上に広げられる、請求項１に記載のカーペットパッティング面。
【請求項３】
約１０である米国ゴルフ協会スティンプメーター測定値を有している、請求項１に記載のカーペットパッティング面。
【請求項４】
第一のほぼ「Ｖ」型のマーキングは、第二のほぼ「Ｖ」型のマーキングよりも前記所定のパッティング位置に近く設けられている、請求項１に記載のカーペットパッティング面。
【請求項５】
前記第一および第二のほぼ「Ｖ」型のマーキングの後の各連続したほぼ「Ｖ」型のマーキングは、前記ほぼ「Ｖ」型のマーキングよりも前記所定のパッティング位置から連続して遠くに設けられている、請求項４に記載のカーペットパッティング面。
【請求項６】
各連続パッティング面は、前記所定のパッティング位置から所定の間隔をあけて設けられている、請求項５に記載のカーペットパッティング面。
【請求項７】
キャリッジと、スプール上に巻かれたカーペットと、前記スプールは前記キャリッジ上に支えられ、前記カーペットはカーペットパッティング面を備え、前記カーペットパッティング面は、横方向の幅よりも長い長手方向の長さを有し且つパッティング位置マーキングおよび少なくとも１つのパッティング標的マーキングを有し、前記パッティング位置マーキングは前記パッティング標的マーキングから所定の長手方向の間隔をあけて設けられ、前記カーペットパッティング面は、前記カーペットの少なくとも一部が水平面上に敷かれると上方を向き、さらに前記キャリッジを水平面に沿って移動させ前記カーペットの少なくとも一部を水平面上に敷くかまたは前記カーペットを前記スプール上に巻くための駆動手段とを備えているゴルフボールパッティングを練習するための装置。
【請求項８】
前記キャリッジは、駆動手段を介して水平面に沿って移動し前記カーペットを水平面上に敷くかまたは前記カーペットを前記スプール上に巻くように構成されている、請求項７に記載の装置。
【請求項９】
前記少なくとも１つのパッティング標的マーキングは、前記パッティング位置マーキングから間隔をあけて設けられている複数のほぼ「Ｖ」型のマーキングを備え、各ほぼ「Ｖ」型のマーキングは、「Ｖ」の前記閉鎖端よりも、前記パッティング位置マーキングに近い前記「Ｖ」の開放端を有する、請求項７に記載の装置。
【請求項１０】
前記カーペットパッティング面は、約１０である米国ゴルフ協会スティンプメーター測定値を有する、請求項７に記載の装置。
【請求項１１】
第一のほぼ「Ｖ」型のマーキングは、第二のほぼ「Ｖ」型のマーキングよりも前記パッティング位置マーキングに近く設けられている、請求項９に記載の装置。
【請求項１２】
前記第一および第二のほぼ「Ｖ」型のマーキングの後の各連続したほぼ「Ｖ」型のマーキングは、前記ほぼ「Ｖ」型のマーキングよりも前記パッティング位置から連続して遠くに設けられている、請求項１１に記載の装置。
【請求項１３】
各連続ほぼ「Ｖ」型のマーキングは、前記パッティング位置マーキングから所定の間隔をあけて設けられている、請求項１２に記載の装置。
【請求項１４】
請求項７に記載の装置と、少なくとも１対の回転可能な間隔をあけて設けられている車輪を備えるゴルフボール回収装置とを備え、各車輪はピックアップ面を有し、前記間隔をあけて設けられている車輪の前記ピックアップ面は、前記間隔をあけて設けられている車輪の表面間のゴルフボールを取り上げるように所定の量だけ互いから間隔をあけて設けられ、前記間隔をあけて設けられている車輪の前記ピックアップ面は、前記間隔をあけて設けられている車輪が回転するにつれてゴルフボールをカーペットパッティング面から移動させ且つ前記ゴルフボールを回収容器に移動させるように構成されているゴルフボールパッティングを練習するためのシステム。
【請求項１５】
前記間隔をあけて設けられている車輪の回転を駆動するモーターを備えている、請求項１４に記載の装置。
【請求項１６】
中心を有する中心車輪から延出している１対の回収アームを備え、前記回転中心車輪は少なくとも１対の回転可能な間隔をあけて設けられている車輪を備え、各車輪はピックアップ面を有し、前記間隔をあけて設けられている車輪の前記ピックアップ面は、前記間隔をあけて設けられている車輪の表面間のゴルフボールを取り上げるように互いから所定の量だけ間隔をあけて設けられ、前記間隔をあけて設けられている車輪の前記ピックアップ面は、前記間隔をあけて設けられている車輪が回転するにつれて、ゴルフボールをパッティング面から上昇させ且つ前記ゴルフボールを回収容器に移動させるように構成されているゴルフボール回収装置。
【請求項１７】
前記間隔をあけて設けられている車輪の回転を駆動するモーターを備えている、請求項１６に記載のゴルフボール回収装置。
【請求項１８】
前記カーペットパッティング面は、ボーリングレーンの幅を覆うように構成されている幅を有している、請求項７に記載の装置。
【請求項１９】
前記カーペットの少なくとも一部をボーリングアレイレーンの水平面上に敷くかまたは前記カーペットをボーリングアレイレーンの水平面から前記スプール上に巻くように構成されている、請求項７に記載の装置。
【請求項２０】
前記キャリッジは、前記カーペットの少なくとも一部が水平面上に敷かれるかまたは前記カーペットが前記スプール上に巻かれる場合、前記キャリッジを前記水平面上に支える支持車輪を備えている、請求項７に記載の装置。
【請求項２１】
前記キャリッジは、前記カーペットの少なくとも一部が水平面上に敷かれるかまたは前記カーペットが前記スプール上に巻かれる場合、前記キャリッジを前記水平面上に支える支持車輪を備えている、請求項１９に記載の装置。
【請求項２２】
前記支持車輪は、モーターによって駆動される、請求項２０に記載の装置。
【請求項２３】
前記支持車輪は、モーターによって駆動される、請求項２１に記載の装置。
【請求項２４】
前記カーペットは、ボーリングアレイ溝の上にかかるように構成されている旋回キャスターを備え、前記旋回キャスターは、前記装置を収納部へまたは収納部から移動させるように構成されている、請求項２１に記載の装置。
【請求項２５】
さらに、前記キャリッジをボーリングアレイレーンに沿って駆動する電気モーターを備えている、請求項７に記載の装置。
【請求項２６】
前記回収装置は、前記回収装置をボーリングアレイレーンおよび相当する溝に沿って駆動する電気モーターを有している、請求項１４に記載のシステム。
【請求項２７】
前記回収装置は、さらに２対の回転可能な間隔をあけて設けられている車輪を備え、各車輪はピックアップ面を有し、前記間隔をあけて設けられている車輪の前記ピックアップ面は、前記間隔をあけて設けられている車輪の表面間のゴルフボールを取り上げるように互いから所定の量だけ間隔をあけて設けられ、追加の各対の間隔をあけて設けられている車輪の前記ピックアップ面は、前記間隔をあけて設けられている車輪が回転するにつれて、対応しているボーリングアレイレーンのいずれかの側のボーリングアレイ溝からゴルフボールを移動させ且つ前記ゴルフボールを対応している回収容器に移動させるように構成されている、請求項１４に記載のシステム。
【請求項２８】
前記回収装置は、さらに、ゴルフボールを前記少なくとも１対の回転可能な間隔をあけて設けられている車輪に導く少なくとも１つの回収アームを備えている、請求項１４に記載のシステム。
【請求項２９】
キャリッジと、スプール上に巻かれたカーペットと、前記スプールは前記キャリッジ上に支えられ、前記カーペットはカーペットパッティング面を備え、前記カーペットパッティング面は、横方向の幅よりも長い長手方向の長さを有し且つパッティング位置マーキングおよび少なくとも１つのパッティング標的マーキングを有し、前記パッティング位置マーキングはパッティング標的マーキングから所定の長手方向の間隔をあけて設けられ、前記カーペットパッティング面は、前記カーペットの少なくとも一部が水平面上に敷かれると上方を向き、ここで前記少なくとも１つのパッティング標的マーキングは、前記パッティング位置マーキングから離れて設けられている複数のほぼ「Ｖ」型のマーキングを備え、ほぼ「Ｖ」型の各マーキングは、「Ｖ」の閉鎖端よりも、前記パッティング位置マーキングに近い前記「Ｖ」の開放端を有している装置。
【請求項３０】
前記カーペットパッティング面は、約１０である米国ゴルフ協会スティンプメーター測定値を有している、請求項２９に記載の装置。
【請求項３１】
第一のほぼ「Ｖ」型のマーキングは、第二のほぼ「Ｖ」型のマーキングよりも前記パッティング位置に近く設けられている、請求項２９に記載の装置。
【請求項３２】
前記第一および第二のほぼ「Ｖ」型のマーキングの後の各連続したほぼ「Ｖ」型のマーキングは、前記ほぼ「Ｖ」型のマーキングよりも前記パッティング位置から連続して遠くに設けられている、請求項３１に記載の装置。
【請求項３３】
各連続したほぼ「Ｖ」型のマーキングは、前記パッティング位置マーキングから所定の間隔をあけて設けられている、請求項３２に記載のカーペットパッティング面。
【発明の詳細な説明】
【技術分野】
【０００１】
本出願は、２００５年６月３日に出願された米国出願番号１１／１４４，５６３（代理人整理番号００４８２７．００００１）の優先権を主張する。このすべての開示はここに引用により組み込まれる。
【０００２】
本発明は、ゴルフボールパッティングを練習するための装置および方法に関し、ボーリングアレイレーンにおけるゴルフボールパッティングを練習するための装置および方法を含むが、これに限定されない。
【背景技術】
【０００３】
ゴルフは毎年何百万人ものアメリカ人によっておこなわれる。１６，０００以上のゴルフコースが米国にある。また、何百万人もが毎年、ボーリングを楽しみ、光る木製のレーンにボーリングボールを転がしている。これらのスポーツは両方とも、成績の優れたプロ、および特定のルールおよび器具の基準を発表し、ゲームを行うための競技会を助成する協会を有する。各スポーツは、参加者も有し、この参加者は、このスポーツによって単にレクリエーションを楽しみ、さらにこのスポーツの変形も楽しむ。変形とは、例えば、アーケードでのゴルフかボーリング、ミニゴルフまたはミニボーリングをおこなう。プレーヤーは、両方のスポーツにおいて、このように、より本格的なプレーヤーからレクリエーションプレーヤーまで様々である。
【０００４】
これらのスポーツにおける初心者はコーチにつくか、および／または試行錯誤から学ぶ。基礎を学び且つ完璧を目指すことは、達成感までフラストレーションの範囲がある。経験および技術は、プレーヤーの「ランキング」に至る点まで発展される場合がある。アソシエイションが形成されて、これらのスポーツを監視且つ促進してきた。ベストプレーヤーは、競技会でプレーしている様子がテレビで見られる。
【０００５】
ゴルフのストロークの半分がグリーン上である。通常、コースは１８ホールのグリーンにつき２パット必要である。パッティングは、一般的に、比較的軽く叩いてゴルフボールを転がすことである。パッティングストロークの数を最小にしてボールをゴルフホールに沈めてパッティングを成功させることは、集中力と技術とによる極度の努力を必要とする。技術は練習によって発達する。パッティングにおける４つの要素は、ボールにアドレスすること、一貫性のあるストロークをおこなう、狙いを定めること、および正確な量でボールを叩くまたはパッティングすることで、パットされたゴルフボールの所望の動きおよび停止を達成する。ゴルフコースでの練習パッティンググリーンは、反復練習には充分に適していない。この反復練習は、ゴルフコースのグリーン上で適用される成功するパッティング技術を学ぶためまたはさらに磨きをかけるために必要とされる。例えば、練習パッティンググリーンは、パットされたボールの回収機を備えていない。練習パッティンググリーンは、飛距離基準をめったに備えていないので、パッティングを練習している人は、パッティングが練習ホールまでどれだけ正確にどれだけ遠いかがほとんどわからない。練習グリーンは、排出勾配および不規則な波状の表面を有している。さらに、練習パッティンググリーンは、天候が許す場合に使用できるだけであるという点で限定されている。
【０００６】
従来の装置は、携帯可能または固定型練習パッティング面を含む。例えば、米国特許６，０５６，６４５（Ｓｅｒｖａｔｉｓｕｓ）、米国特許５，６５５，９７１（Ｗａｙｎｅ）、米国特許５，４４１，２６５（Ｃｏｄｌｉｎ）、米国特許３，８９２，４１２（Ｋｏｏ）および米国特許３，６９０，６７３（Ｏｃｃｈｉｐｉｎｔｉ）を参照する。練習パッティングのための他の従来の装置に関しては、米国特許５，７２０，６６７（Ｗａｎ−Ｃｈｕ  Ｔｕ）、米国特許５，１０８，１０１（Ｐｏｓｔｕｌａ）、米国特許４，８７７，２５０（Ｃｅｎｔａｆａｎｔｉ）、米国特許２，０５７，５０４（Ｓｃｈａｆｅｒ）、米国特許１，９４，１８７（Ｗａｄｅ）、米国特許４，２１５，８６５（Ｐｉｌａｔｉ）、米国特許３，１８４，２３９（Ｈｅｕｓｅｒ）、米国特許４，９８８，１０６（Ｃｏｏｎｒｏｄ）、米国特許５，３９０，９２６（Ｈａｎｓｏｎ）、米国特許６，００１，０３３（Ｔｕｃｋｅｒ）および米国特許５，８６０，６４８（Ｐｅｔｅｒｍｅｉｅｒ）を参照。これら従来の練習パッティング面および装置によって与えられる利点もあるが、改良されたパッティング面および装置がさらに必要とされている。
【発明の開示】
【発明が解決しようとする課題】
【０００７】
以下は、本発明のいくつかの態様を基本的に理解するために、本発明の簡単な概要を説明している。この概要は、本発明の広範囲な概観ではない。本発明の鍵または重要な要素を識別すること、または本発明の範囲を確定することは意図されていない。以下の概要は、簡易な形式で、さらに詳細な説明の前置きとして、本発明のいくつかの概念を説明しているだけである。
【課題を解決するための手段】
【０００８】
本発明の一態様において、カーペットパッティング面は、スプールから平坦な水平面上に広げられ、例えば、限定的ではないが、ボーリングアレイのレーンを含む。カーペットパッティング面は、例えばボーリングに使用されるボーリングアレイレーンに必要とされる場合、スプール上に巻き戻すことができる。ボーリングアレイに使用される代替品として、本発明のカーペットパッティング面は、他の適切なエリアに使用可能であり、このエリアは、限定的ではないが、ゴルフショップ、レクリエーションセンター、ゴルフデパートもしくはゴルフクラブ、またはゴルフコースもしくはゴルフ練習場近くを含む。
【０００９】
本発明の一態様において、カーペットパッティング面は、スプールから平坦な水平面上に広げられ、例えば、限定的ではないが、ボーリングアレイのレーンを含む。カーペットパッティング面は、例えばボーリングに使用されるボーリングアレイレーンに必要とされる場合、スプール上に巻き戻すことができる。ボーリングアレイに使用される代替品として、本発明のカーペットパッティング面は、他の適切なエリアに使用可能であり、このエリアは、限定的ではないが、ゴルフショップ、レクリエーションセンター、ゴルフデパートもしくはゴルフクラブ、またはゴルフコースもしくはゴルフ練習場近くを含む。
【００１０】
好適な実施例において、カーペットパッティング面は、（米国ゴルフ協会によって承認されたメータと）ほぼ同じスティンプメータの測定数を典型的なゴルフコースグリーンとして有する。カーペットパッティング面は、複数の離散的なエリアまたは「ホール」を識別し、各「ホール」は、ユーザーが前方でパットする線からの一定の距離である。各ホールは、任意の適切な手段、例えば片面接着テープによって識別可能であり、このテープは、ほぼ「Ｖ」型の形状を有し、「Ｖ」の開放部分はパットしている人に最も近く、「Ｖ」の閉鎖部分はパットしている人から最も遠い。また、カーペットパッティング面は、ユーザーが、パットされるボールは目標とされたホールまでほぼどのくらい近いかを決めることができる線または領域（例えば片面接着テープで識別される）であってもよい。ユーザーは、最初に一番遠い「ホール」までパットした後、その次に遠い「ホール」等、各「ホール」までパットすることができる。
【００１１】
ゲームは、各パットされたボールが各目標ホールまでどのくらい近いかを追跡することによっておこなってもよい。例えば、仮にパットされたボールがホールまたは「Ｖ」内で止まると、ユーザーがそのホールで「ワンパット」したと考えることができる。パットされたボールがホールまたは「Ｖ」の外側で止まるが、ホールまたは「Ｖ」から２４インチ以下であると、ユーザーは「ホールでツーパット」等したと考えることができる。
【００１２】
本発明の他の態様において、ユーザーの方へ移動してパットされたボールを回収するゴルフボール回収装置が提供される。また、ゴルフボール回収装置は、バックストップでもよく、このバックストップは、カーペットがボーリングアレイレーン上に設けられた場合、パットされたボールが、カーペットの遠端を通過するかまたは外れて、例えばボーリングピンエリアに入ることを防ぐ。
【発明を実施するための最良の形態】
【００１３】
本発明は、すぐに入手可能な制御された状態で使用可能な装置を提供する。本装置は、一日のうちいつでも屋内で使用可能であり、屋外の悪条件、例えば低温度、雨、雪、風、日光および暗闇を回避することができる。好適な実施例において、本発明の装置は、任意の適切な面、例えば平坦で水平なボーリングアレイレーン面上で使用される。
【００１４】
本発明の一態様において、カーペットパッティング面は、スプールから平坦な水平面に広げられ、例えば、限定的ではないが、ボーリングアレイのレーンを含む。ボーリングアレイで使用する代替品として、本発明のカーペットパッティング面は、他の適切なエリアで使用可能であり、このエリアは、例えば、限定的ではないが、ゴルフショップ、ゴルフの百貨店もしくはゴルフクラブ、またはゴルフコースもしくはゴルフ練習場近くを含む。
【００１５】
好適な実施例において、カーペットパッティング面は、典型的なゴルフコースグリーンとしての（米国ゴルフ協会によって承認されたメータと）ほぼ同じスティンプメータの測定数、例えば１０スティンプメータ値を有し、この値は、プロゴルフ協会のプレーヤーがプレイするゴルフグリーンの質とほぼ等しい。標準的なボーリングアレイレーンは一般的に、約１６フィートのアプローチおよびファウルラインからヘッドボーリングピンまで６０フィートを有する。
【００１６】
好適な実施例において、カーペットパッティング面は、ボーリングレーンアプローチから広げられ、キャリッジ上でスプールからレーンに沿って巻き下げられる。好ましくは、キャリッジはモーターによって駆動される。好適な実施例において、カーペットパッティング面は、のろのろと進むパットのための約５５フィートの長さプラスパッティングするプレーヤーが立つための十分な余地の長さだけ延びている。ボーリングのピンは立ったままでいることが可能であるが、これはキャリッジがピンの手前で止まっているためである。
【００１７】
本発明は、好ましくは非常に上等な合成カーペット上の平坦、水平および長いまたは短いパッティングのための屋内パッティング練習場を提供する。これらの理想的な学習および練習のための条件が、毎日いかなる時も雨でも晴れていてもボーリング時間中に提供可能である。この発明は、比較的短時間で組み立てられ、例えば約１分未満でカーペットパッティング面がボーリングアレイレーン上にモーター駆動による遠隔制御キャリッジによって広げられる。キャリッジは十分な距離進んだ後、立っているボーリングピンの手前で止まる。
【００１８】
ゴルフボール練習パッティングエリアをボーリング用のボーリングアレイレーンに戻したい場合、キャリッジは、駆動されてアプローチエリアの方へ戻され、それによってカーペットパッティング面をスプール上に巻きつける。モーターによって駆動される場合、この動作は、約２分未満を必要とする。
【００１９】
好適な実施例において、カーペットパッティング面は、９つの距離マークを通常５フィートの間隔で有し且つ通常「Ｖ」型の標的を含み、各「Ｖ」の開放端はパッティングしている人に対向し、「Ｖ」の反対側の端部はゴルフホールを示す。自然のゴルフグリーンは、起伏、傾斜、坂、および上を歩いた、または濡れた、焦げたおよび／または修理された草に挑戦することを特色とする。しかしながら、本発明において、カーペットパッティング面は、パッティングの理想的な条件を提供する。これらの理想的な条件は、起伏のあるゴルフグリーンの設定とは関係なく、反復による技術の習得および正確なフォームの開発を促進する。技術は、スタンス、アドレス、グリップ、照準、リズム、さらにスウィングバック、スウィングフォワード、フィニッシュおよびパッティングストロークのフォロースルーを含む。パッティング用のボーリングアレイレーンを変換することの実用性は、使用されていないボーリングアレイレーンを使用することである。パッティングが可能な時期は、ボーリングアレイレーンが一般的に使用されない時、例えば早朝、深夜、ボーリングのリーグ戦がない時、および沈滞している夏期を含む。完全な条件は、新しいパッティングクラブ、ゴルフボールおよびパッティング補助器具の試用を促す。本発明の装置によって、完全で現代的なボーリング設備において上質のカーペット上でパッティングレッスンをすることが可能である。
【００２０】
本発明の別の態様において、電力による高速横断ゴルフボール回収装置も提供される。この回収装置は、設けられたカーペットパッティング面の、人がパッティングする端部と反対側の端部の方へ位置づけられる。回収装置は、バックネットならびにボール回収装置として作用する。カーペットパッティング面が設けられた場合、回収装置は、カーペットパッティング面の、人がパッティングする端部と反対側の端部近くに位置づけられる。カーペットパッティング面がボーリングアレイレーンに沿って設けられる例において、回収装置は、ファウルラインの反対側端部の方向且つカーペットパッティング面上で一番遠いと考えられる「ホール」の後に位置づけられる。このボーリングアレイの用途において、回収装置は、バックネットとして作用するとともに、パットされたボールがボーリングピンのピット内に見失われることまたはボーリングアレイの溝に入ったままになることを防ぐ。この実施例において、回収装置は、カーペットパッティング面に接触することなく、ボーリングアレイの溝に設けられ、パットされたボールをすべて、パッティングしている人が練習パッティングラウンドを終えた場合に、ファウルラインまで戻す。回収装置は、アプローチエリアから離れて操作可能である。好ましくは、回収装置は、１分未満のモーター駆動による横断運動をおこなう。
【００２１】
パッティングしている人は、回収装置のピックアップ車輪によって回収され戻されたボールを、持ち上げられた回収装置の容器から取るだけでよい。カーペットまたは溝からボールを取り上げる際、腰を曲げる必要がない。
【００２２】
好ましくは、キャリッジおよび回収装置は、電動または手動用の旋回キャスター上でそれぞれ可動である。このように、キャリッジおよび回収装置は、所望に応じてパッティングエリアを前後運動可能であり、両方の装置は、使用されない場合、収納可能である。
【実施例】
【００２３】
図１は、カーペット１２のスプールからボーリングアレイレーン２２上に設けられているカーペットパッティング面１の斜視図である。好ましくは、カーペットパッティング面は、４１インチの幅を有する。ボーリングアレイレーン２２は２つの溝２１、ファウルライン２０およびアプローチエリア２３を有する。マーキングは、カーペットパッティング面上で、任意の適切な材料、例えば幅１インチ厚さ０．０７インチの白い布粘着テープを使用しておこなわれる。「Ｖ」型の標的は、９つの距離マーカー３〜１１に５フィートの間隔で設けられる。ユーザーは、６フィートの長さの区域におけるマーカー２の付近にボールを落とし且つマーカー３〜１１によって示される５フィート毎に増加する距離の任意のマーカーまでパットすることができる。ユーザーは、マーカー３、即ちマーカー２から５０フィート離れたマーカーまでパットをおこなうことができる。マーカー３の長さは、カーペット幅の４１インチであり、これは３．１９度の鋭角の標的を示す。この角度を超えてパットされたボールは、カーペットから溝内に落ちる。図１に示されているように、最短のパッティング距離は、図示された実施例においてマーカー１１まで１０フィート前後である。カーペットパッティング面１の一部は、キャリッジスプール１７に取り付けられたままである。カーペット１２のスプールは、キャリッジ１３によって支持され、これは立っているボーリングピン（番号なし）の近くに示されている。
【００２４】
図２は、全体を破線で示すキャリッジ１３の側面図である。図３は、図２に示されているキャリッジの正面図である。カーペット１２のスプールはキャリッジスプール１７に巻かれている。図２および３に示されているように、カーペットパッティング面１はボーリングアレイレーン２２を覆う。スプール回転軸１９および２つのプーリー回転軸１９´が設けられ、これらはほぼ同じである。好ましくは、スプール回転軸１９は、クラッチ２６を備える別体の電気モータ駆動装置２４、ローラーチェーン１４、およびカーペットをキャリッジスプール１７上に巻き戻す従動スプロケット２９を有する。プーリー回転軸１９´の一方は、クラッチ２７を備える別体のモータ駆動装置２４´、ローラーチェーン１４´、およびキャリッジ１３を進ませてカーペットを設ける従動ローラーチェーンスプロケット３０（図３参照）を有する。ローラーチェーン１４および１４´ならびにこれらに相当するスプロケットは、好ましくは減速比率で使用される。キャリッジ１３は、４つの縁ガイドローラー１８を有し、図示されているように、これらのうち２つはボーリングレーン２２の各側縁に設けられ、各ガイドローラーは、バネによる接触力が調節可能であり、キャリッジ行程の両方向にキャリッジを導く。キャリッジ１３の重量は、４つのブーリー車輪１６によって支えられ、これらのうち２つは各共通プーリー回転軸１９´に固着されて一体的に回転する。ブーリー車輪１６は、レーン面２２に接触することによって支えられているポリウレタンコードベルト１５上に設けられている。好ましくは、ベルトは、等しい長さを有し、自由長さの約４％の張力が予め与えられている。クラッチ２７は係合してキャリッジ１３を駆動し、カーペット１をボーリングアレイレーン２２上に単に設ける一方で、クラッチ２６は惰性作動する。クラッチ２６は係合してキャリッジを駆動し、カーペット１をキャリッジスプール１７上に単に巻き戻す一方で、クラッチ２７は惰性作動する。動力によって巻き戻されたカーペットにおける張力は、収納の準備として、キャリッジをレーンに沿ってファウルラインまで引き戻す。
【００２５】
図３に示されているように、キャリッジ１３は、旋回キャスター２５（合計で４つ）を、通常キャリッジ１３の各隅に有し、これらは溝２１に突き出している。旋回キャスター２５は、キャリッジ１３を収納するために、または収納部から出すために使用可能である。カーペットパッティング面１をレーン２２上に設ける時に、旋回キャスター２５は、ボーリング溝の傾斜路引き込み部を経由して溝２１に入り、そのため縁ガイドローラー１８は、ボーリングレーン２２の縁部に係合し、２つのポリウレタンコードベルト１５はボーリングレーン２２に接触する。旋回キャスター２５は、使用されない状態で溝２１に直接設けられる一方で、キャリッジ１３はボーリングアレイレーンを横断する。キャリッジ駆動クラッチ２７は、出力スプロケット２８、ローラーチェーン１４´、およびプーリー回転軸１９´に取り付けられている従動ローラーチェーンスプロケット３０を有する。スプール駆動クラッチ２６は、出力スプロケット３１、ローラーチェーン１４、および従動ローラーチェーンスプロケット２９を有し、このスプロケットは、スプール１７の一端近くのスプール回転軸１９に取り付けられている。２つの別体の電気モーター駆動装置１６は、要求に応じて別々に各クラッチに電力を供給する。図３は、カーペット１２のスプールの輪郭を破線で示す。
【００２６】
図５は、カーペットパッティング面１に覆われているボーリングレーン２２を跨いでいる回収装置３４の正面図である。ピックアップ車輪４４は、カーペットパッティング面１上に存在し且つ溝２１内に落ちているゴルフボールに対向しているゴルフボールを拾い上げるように設計されている。ピックアップ車輪４４は、カーペットパッティング面１の幅の中心に設けられている。ピックアップ車輪４４は、軸３２によって各端で同軸状に支えられている軸４５に取り付けられている。図５は、カーペットパッティング面１上の入口位置４６にゴルフボール３６を示す。回収バー４３は漏斗として作用し、回収装置３４がボーリングのファウルライン２０のほうへ横断するにつれて、ゴルフボールを入口位置４６に整列させてピックアップ車輪４４で握る。ピックアップ車輪４４はカーペットパッティング面に接触しない。またボーリングレーン縁ガイドローラー１８も示されているが、これらのローラーは合計４つ設けられ、２つずつ回収装置３４の両側に設けられ、一方は前方に他方は後方に設けられている。縁ガイドローラーは、作動して、回収装置３４がボーリングレーン２２に沿っていずれかの方向に横断移動している間、回収装置を導く。ゴルフボール回収パン４１、チャネルガイド４２およびフィンガー３８は、ゴルフボール３６を溝２１から除去するように設けられた部材と同様に、ゴルフボール３６をピックアップ車輪４４から除去するように設けられている。図５は、２つの電気駆動モーター４７として組み込まれている付加的な使用容量を示しているが、各モーターは可逆な回転方向を示している。
【００２７】
図５は、カーペットパッティング面１に覆われているボーリングレーン２２を跨いでいる回収装置３４の正面図である。ピックアップ車輪４４は、カーペットパッティング面１上に存在し且つ溝２１内に落ちているゴルフボールに対向しているゴルフボールを拾い上げるように設計されている。ピックアップ車輪４４は、カーペットパッティング面１の幅の中心に設けられている。ピックアップ車輪４４は、軸３２によって各端で同軸状に支えられている軸４５に取り付けられている。図５は、カーペットパッティング面１上の入口位置４６にゴルフボール３６を示す。回収バー４３は漏斗として作用し、回収装置３４がボーリングのファウルライン２０のほうへ横断するにつれて、ゴルフボールを入口位置４６に整列させてピックアップ車輪４４で握る。ピックアップ車輪４４はカーペットパッティング面に接触しない。またボーリングレーン縁ガイドローラー１８も示されているが、これらのローラーは合計４つ設けられ、２つずつ回収装置３４の両側に設けられ、一方は前方に他方は後方に設けられている。縁ガイドローラーは、作動して、回収装置３４がボーリングレーン２２に沿っていずれかの方向に横断移動している間、回収装置を導く。ゴルフボール回収パン４１、チャネルガイド４２およびフィンガー３８は、ゴルフボール３６を溝２１から除去するように設けられた部材と同様に、ゴルフボール３６をピックアップ車輪４４から除去するように設けられている。図５は、２つの電気駆動モーター４７として組み込まれている付加的な耐用能力を示すが、各モーターは可逆な回転方向を示す。
【００２８】
図６は、回収装置３４の部分側面図であり、ローラーチェーン１４およびスプロケット２８、３９、５０、５２、５３、５４、５５、５７並びに５８を有する駆動システムを示す。各電気駆動モーター４７（図５に示されている）は、操作可能に出力スプロケット２８に接続され、これは各ローラーチェーンスプロケット３９を駆動し、このスプロケットは、ボーリングアレイ用回収装置３４を横断させるための各スタブ軸４９を中心として回転可能な溝のあるプーリー車輪４８に固着されている。各電気駆動モーター４７は、各ローラーチェーンスプロケット５０を駆動して各クラッチ５１に電力を入力する第二駆動出力スプロケット２８を有する。各クラッチ５１は、取り付けられている各ピックアップ車輪３３を駆動する各軸３２に取り付けられているローラーチェーンスプロケット５３を駆動する出力スプロケット５２を有する。各軸３２は、各スタブ軸５６に取り付けられているローラーチェーンスプロケット５５を駆動する別に取り付けられているスプロケット５４も有する。また、スプロケット５７がスタブ軸５６に取り付けられ、このスプロケットは、スプロケット５８を駆動し、このスプロケットは、共通軸４５の両端に取り付けられている。図５に示されているように、軸４５は、作動可能にピックアップ車輪４４に接続されている。スプロケット比率は、好ましくは減速比率で使用され、ピックアップ車輪３３および４４をほぼ等しい周速とするが、これらの車輪は異なる直径を有する。スプロケット比率は、好ましくは、周囲の車輪速度にほぼ適合した横断速度を得るように使用される。同一のクラッチ５１は、調節可能な時計方向または反時計方向の設定を特徴とし、出力スプロケット５２の駆動または惰性作動を可能として、駆動されたピックアップ車輪の回転を一方向にのみおこなう。このように、ピックアップ車輪３３および４４は、パットされたゴルフボールを取る場合にのみ回転するが、復路は回転しない。
【００２９】
本発明の別の態様によると、巻きつけられた上質のパッティングカーペットのスプールを支えるキャリッジが提供される。キャリッジは、旋回キャスター上をボーリングアレイレーンのファウルラインまで転動し、カーペットがスプールからアプローチエリア上に手動で外される。次に、キャスターは、ファウルラインで溝に入り、使用されないが、この場合、駆動ロールベルトは、レーン縁部近くのレーン表面に接触し且つバネに付勢されたガイドロールはアレイ縁部に係合してキャリッジを導く。そして電気キャリッジ駆動は、約４０秒間、始動されキャリッジを進め且つカーペットを５０フィートだけ敷く。キャリッジは、残りのカーペットをスプールに取り付けたまま止まりパッティングセッションの終了まで待機し、このセッション後カーペットは約４０秒で巻き戻されて収納される。単独のキャリッジ駆動は、断面が丸く食物基準を通過するポリウレタン製であらかじめ張力が与えられた２つのコード駆動ベルトを使用し、これらのベルトはプーリー車輪の円形の底溝に跨っている。断面が円形のコードは歯のない伝達ベルトとして作用するが、歯のあるスプロケットと比較してかなり安価である。この実施例は、キャリッジ駆動およびスプール駆動に使用される一方向遠心クラッチを備えている。キャリッジ駆動クラッチは、キャリッジをファウルラインから離れるように駆動しカーペットを敷くのみである。クラッチ２７は、カーペットが巻き戻される場合、惰性作動する。スプール駆動クラッチ２６は、駆動しカーペットを巻き戻すのみであるが、これによりキャリッジがカーペットにおける張力によってファウルラインまで引き戻され、ここでキャリッジ駆動クラッチ２７は惰性作動する。約４０秒かけてカーペットの巻き戻しを完了し、カーペットは微量の張力を有するので所望通り一様に巻かれコンパクトなロール状で収納される。別体の駆動モーターは、当業者にとって周知の遠隔制御によって作動可能であり、キャリッジを進め且つカーペットを所望通り巻き戻す。
【００３０】
好ましくは、最大約１５００ＲＰＭの速度、および標準ローラーチェーンを使用する好適な５００ＲＰＭの駆動スプロケットに対して約３対１の減少比を有する可変速度の電気モーターが使用される。遠隔制御は、パッティングしている人にボーリングアプローチエリアからキャリッジを作動させることができる。
【００３１】
別の態様によると、本発明は、ボールを戻すための遠隔制御された回収装置を提供する。最初に、この装置は、カーペットが設けられているレーンを下降されキャリッジの近くでパッティングセッションの完了まで待機する。人がパッティングを終了すると、人は遠隔制御を使用して回収装置を始動させパットされたボールをすべてカーペットまたは溝からファウルラインへ戻すことができる。約４０秒で、回収装置は、ファウルラインのほうへ横断し、パットされたボールがすべて別体のカーペットおよび溝容器内に持ち上げられ、この容器はパッティングしている人が除去し易いように適切に上昇される。指令によって、回収装置は、レーンを待機位置まで戻され、そのためより多くのボールがパット可能である。モーター、クラッチ、スプロケット、ローラーチェーン、アレイ縁ガイド、円形溝プーリー、旋回キャスター、および円形コードベルトは、キャリッジに使用されているものと同様である。単独のボールのピックアップは、水平軸に取り付けられている３つの別体の表面がゴムである車輪によって達成される。各溝は、１つのピックアップ車輪を有し、第三ピックアップ車輪は、カーペットが敷かれたレーンの中心に設けられる。好ましくは、レーンに跨っている回収装置は、いかなる部分もカーペットに接していない。回収装置のピックアップ車輪は、ゴルフボールを取り上げる場合、一斉に回転し、そのため回収装置の横断速度はピックアップ車輪の周速に等しい。遠心クラッチ５１は、復路で惰性作動するので、ピックアップ車輪は回転しない。カーペットパッティング面上で休止している取り上げられるボールは、回収バーを漏斗として作動させることによって、中心のピックアップ車輪内に集められる。回収バーまたはアームは、溝に使用され、パットされたボールが回収装置を通過し且つボーリングピンピットに入ることを防ぐ。ピックアップ車輪のゴム製の平行面は、ボールの直径よりも小さな間隔を互いにあけられ、そのため弾性力のある面の間にはまっているボールを挟むまたは掴む。ゴムの弾性力が、摩擦によってボールをとらえた後、このボールは、カーペットまたは溝の上方の最上車輪の近くのフィンガーによって除去されるまで車輪とともに回転する。フィンガーは、ゴム表面間から除去されたボールを隣接している容器内に導くためのわずかに傾斜した経路部分を有する。回収装置３４の重量は、円形コードベルトの４つの接触点に均等に支えられ且つボーリング溝によって運ばれ、この溝内に回収装置が横断する。
【００３２】
本発明の態様によって、巻きつけられた高品質のパッティングカーペットのスプールを支えるキャリッジが提供される。キャリッジは、転動し、ボーリングアレイレーンのファウルラインまで下降し、カーペットがスプロールからアプローチエリア上に手動で外される。キャスターがファウルラインで溝に入ると、これらのキャスターは使用されず、駆動ロールベルトは、レーン縁部の近くのレーン表面に接触し、バネにより付勢されたガイドロールはアレイ縁部に係合する。次に電気キャリッジ駆動は、４０秒間始動され、キャリッジを進め且つカーペットを５０フィートだけ敷く。キャリッジは、残りのカーペットを取り付けたまま止まりパッティングセッションの終了まで待機し、このセッション後カーペットは巻き戻され且つ収納される。単独のキャリッジ駆動は、断面が丸く食物基準を通過するポリウレタン製の２つのコード駆動ベルトを使用し、これらのベルトはプーリーの円形の底溝に跨っている。プーリーは、２つの間隔をあけて固定された水平軸上に適切な支持ベアリングを使用して設けられている。各軸は２つのプーリーを有する。２つの円形コード駆動ベルトは、軸から軸へ延び且つプーリーに巻かれている。キャリッジの負荷は、４つのプーリー、円形コードベルト、次にレーン表面上に均等に配分されている。断面が円形のコードは、歯のない伝達駆動ベルトとして作用するが、スプロケットと比較して、円形の溝が設けられたプーリーと同様、かなり安価である。キャリッジ駆動に使用される一方向遠心クラッチも単独である。クラッチは、キャリッジをファウルラインから離れるように駆動しカーペットを敷くのみであり、その後、同様のクラッチが設けられている巻き戻し駆動モーターがキャリッジをファウルラインまで引き戻すと、車輪を惰性作動する。約４０秒かけてカーペットの巻き戻しを完了し、カーペットは微量の張力を有するので所望通り一様に巻かれコンパクトなロール状で収納される。別体の駆動モーターは、一方はキャリッジを進め、他方はカーペットを巻き戻すように設けられているが、逆駆動を不必要とする。
【００３３】
好ましくは、最大約１５００ＲＰＭの速度、およびローラーチェーンを使用する好適な５００ＲＰＭの駆動スプロケットに対して約３対１の減少比を有する可変速度の電気モーターが使用される。遠隔制御は、パッティングしている人にボーリングアプローチエリアからキャリッジを作動させることができる。
【００３４】
別の態様によって、本発明は、ボールを戻すための遠隔制御回収装置を提供する。最初に、この装置は、レーンを下降されキャリッジの近くでパットされたボールを待つ。人がパッティングを終了すると、人は、回収装置にパットされたボールをすべてファウルラインへ戻させるように遠隔制御を使用することができる。約４０秒で、回収装置は、ファウルラインのほうへ横断し、ボールがすべて溝容器内に持ち上げられ、この容器は回収装置から除去し易いように適切に上昇される。指令によって、回収装置は、レーンを待機位置まで戻され、そのためより多くのボールがパット可能である。モーター、クラッチ、スプロケット、ローラーチェーン、アレイ縁ガイド、円形溝プーリー、および円形コードベルトは、キャリッジに使用されているものと同様である。単独のボールのピックアップは、水平軸に取り付けられている３つの別体の表面がゴムである車輪によって達成される。各溝は、１つの車輪を有し、第三車輪は、カーペットが敷かれたレーンの中心に設けられる。好ましくは、回収装置は、いかなる部分もカーペットに接していない。回収装置の車輪は、円形コード駆動に固定されて一斉に回転し、そのため駆動の横断速度は車輪の周速に等しい。遠心クラッチは、復路で惰性作動するので、ゴム面を有する車輪は回転しない。カーペット上で休止している取り上げられるボールは、回収バーを漏斗として作動させることによって、中心の回転車輪内に集められる。回収アームまたはバーは、溝に使用され、カーペット上または溝内のパットされたボールがパッティング装置を通過し且つボーリングピットに入ることを防ぐ。ピックアップ車輪のゴム製の平行面は、ボールの直径よりも小さな間隔を互いにあけられ、そのためこれらの面の間にボールを挟むまたは掴む。ゴムの弾性力が、摩擦によってボールをとらえた後、このボールは、カーペットまたは溝の上方の最上車輪の近くのフィンガーによって除去されるまで車輪とともに回転する。フィンガーは、ゴム表面間から除去されたボールを隣接している容器内に導くための経路部分を有する。回収装置の重量は、円形コードベルトの４つの接触点に均等に支えられ且つボーリング溝によって運ばれ、この溝内に回収装置が横断する。
【００３５】
本発明の実施例および本発明自身は、当業者が本発明を作成且つ使用できるように十分、明確、簡潔且つ正確に説明された。本発明とみなされる主題を特に指摘且つ明確にするために、以下の請求項の範囲がこの明細書に添付される。好適な実施例からの変形が請求項の範囲内に含まれるように、これらの変形は、本発明の一部として考えられ且つ記載される。
【図面の簡単な説明】
【００３６】
本発明およびその利点は、添付図面を考慮して下記説明を参照することによって、さらに理解することができるが、図において同じ参照番号は同じ特徴を示す。
【図１】本発明の実施例を示す斜視図であり、実施例においてカーペットパッティング面がボーリングアレイレーン上に設けられている。
【図２】本発明の実施例によるキャリッジを示す側面図である。
【図３】図２に示されているキャリッジを示す正面図である。
【図４】本発明によるボール回収装置の実施例の側面図である。
【図５】図４に示されているボール回収装置の正面図である。
【図６】図４に示されているボール回収装置の部分側面図である。
【図１】
2008541946.tif 000003
【図２】
2008541946.tif 000004
【図３】
2008541946.tif 000005
【図４】
2008541946.tif 000006
【図５】
2008541946.tif 000007
【図６】
2008541946.tif 000008
【手続補正書】
【提出日】平成19年4月3日(2007.4.3)
【手続補正１】
【補正対象書類名】特許請求の範囲
【補正対象項目名】全文
【補正方法】変更
【補正の内容】
【特許請求の範囲】
【請求項１】
キャリッジと、スプール上に巻かれたカーペットと、前記スプールは回転軸を有し且つ前記キャリッジ上に支えられ、前記カーペットはカーペットパッティング面を備え、前記カーペットパッティング面は、横方向の幅よりも長い長手方向の長さを有し且つパッティング位置マーキングおよび少なくとも１つのパッティング標的マーキングを有し、前記パッティング位置マーキングは前記パッティング標的マーキングから所定の長手方向の間隔をあけて設けられ、前記カーペットパッティング面は、前記カーペットの少なくとも一部が水平面上に敷かれると上方を向き、さらに前記スプールの前記回転軸に平行な固定された回転軸を有する駆動輪とを備え、前記駆動輪は第一クラッチに係合し前記キャリッジを水平面に沿って第一方向に移動させ且つ前記カーペットの少なくとも一部を前記水平面上に敷く際に補助し、前記スプールは第二クラッチに係合し前記キャリッジを水平面に沿って前記第一方向と反対の第二方向に移動させ且つ前記カーペットを前記スプール上に巻く際に補助するゴルフボールパッティングを練習するための装置。
【請求項２】
前記少なくとも１つのパッティング標的マーキングは、前記パッティング位置マーキングから離れて設けられている複数のほぼ「Ｖ」型のマーキングを備え、ほぼ「Ｖ」型の各マーキングは、「Ｖ」の閉鎖端よりも、前記パッティング位置マーキングに近い前記「Ｖ」の開放端を有している、請求項１に記載の装置。
【請求項３】
前記カーペットパッティング面は、約１０である米国ゴルフ協会スティンプメーター測定値を有している、請求項１に記載の装置。
【請求項４】
第一のほぼ「Ｖ」型のマーキングは、第二のほぼ「Ｖ」型のマーキングよりも前記パッティング位置マーキングに近く設けられている、請求項２に記載の装置。
【請求項５】
前記第一および第二のほぼ「Ｖ」型のマーキングの後の各連続したほぼ「Ｖ」型のマーキングは、前記ほぼ「Ｖ」型のマーキングよりも前記パッティング位置から連続して遠くに設けられている、請求項４に記載の装置。
【請求項６】
各連続したほぼ「Ｖ」のマーキングは、前記パッティング位置マーキングから所定の間隔をあけて設けられている、請求項５に記載の装置。
【請求項７】
請求項１に記載の装置と、少なくとも１対の回転可能な間隔をあけて設けられている車輪を備えるゴルフボール回収装置とを備え、各車輪はピックアップ面を有し、前記間隔をあけて設けられている車輪の前記ピックアップ面は、前記間隔をあけて設けられている車輪の表面間のゴルフボールを取り上げるように所定の量だけ互いから間隔をあけて設けられ、前記間隔をあけて設けられている車輪の前記ピックアップ面は、前記間隔をあけて設けられている車輪が回転するにつれてゴルフボールをカーペットパッティング面から移動させ且つ前記ゴルフボールを回収容器に移動させるように構成されているゴルフボールパッティングを練習するためのシステム。
【請求項８】
前記間隔をあけて設けられている車輪の回転を駆動するモーターを備えている、請求項７に記載の装置。
【請求項９】
前記カーペットパッティング面は、ボーリングレーンの幅を覆うように構成されている幅を有している、請求項１に記載の装置。
【請求項１０】
前記カーペットの少なくとも一部をボーリングアレイレーンの水平面上に敷くかまたは前記カーペットをボーリングアレイレーンの水平面から前記スプール上に巻くように構成されている、請求項１に記載の装置。
【請求項１１】
前記キャリッジは、前記カーペットの少なくとも一部が水平面上に敷かれるかまたは前記カーペットが前記スプール上に巻かれるように、前記駆動輪によって支えられる、請求項１に記載の装置。
【請求項１２】
前記キャリッジは、前記カーペットの少なくとも一部が水平面上に敷かれるかまたは前記カーペットが前記スプール上に巻かれる場合、前記駆動輪によって支えられる、請求項１０に記載の装置。
【請求項１３】
前記第一クラッチは第一モーターによって駆動され、前記第二クラッチは第二モーターによって駆動される、請求項１１に記載の装置。
【請求項１４】
前記第一クラッチは第一モーターによって駆動され、前記第二クラッチは第二モーターによって駆動される、請求項１２に記載の装置。
【請求項１５】
前記カーペットは、ボーリングアレイ溝の上にかかるように構成されている旋回キャスターを備え、前記旋回キャスターは、前記装置を収納部へまたは収納部から移動させるように構成されている、請求項１２に記載の装置。
【請求項１６】
前記駆動装置は電気モーターを備えている、請求項１に記載の装置。
【請求項１７】
前記回収装置は、前記回収装置をボーリングアレイレーンおよび対応している溝に沿って駆動する電気モーターを有している、請求項７に記載のシステム。
【請求項１８】
前記回収装置は、さらに２対の回転可能な間隔をあけて設けられている車輪を備え、各車輪はピックアップ面を有し、前記間隔をあけて設けられている車輪の前記ピックアップ面は、前記間隔をあけて設けられている車輪の表面間のゴルフボールを取り上げるように互いから所定の量だけ間隔をあけて設けられ、追加の各対の間隔をあけて設けられている車輪の前記ピックアップ面は、前記間隔をあけて設けられている車輪が回転するにつれて、対応しているボーリングアレイレーンのいずれかの側のボーリングアレイ溝からゴルフボールを移動させ且つ前記ゴルフボールを対応している回収容器に移動させるように構成されている、請求項７に記載のシステム。
【請求項１９】
前記回収装置は、さらに、ゴルフボールを前記少なくとも１対の回転可能な間隔をあけて設けられている車輪に導く少なくとも１つの回収アームを備えている、請求項７に記載のシステム。
【請求項２０】
キャリッジと、スプール上に巻かれたカーペットと、前記スプールは回転軸を有し且つ前記キャリッジ上に支えられ、前記カーペットはカーペットパッティング面を備え、前記カーペットパッティング面は、横方向の幅よりも長い長手方向の長さを有し且つパッティング位置マーキングおよび少なくとも１つのパッティング標的マーキングを有し、前記パッティング位置マーキングは前記パッティング標的マーキングから所定の長手方向の間隔をあけて設けられ、前記カーペットパッティング面は、前記カーペットの少なくとも一部が水平面上に敷かれると上方を向き、さらに前記スプールの前記回転軸に平行な固定された回転軸を有する駆動輪とを備え、ここで前記少なくとも１つのパッティング標的マーキングは、前記パッティング位置マーキングから離れて設けられている複数のほぼ「Ｖ」型のマーキングを備え、ほぼ「Ｖ」型の各マーキングは、「Ｖ」の閉鎖端よりも、前記パッティング位置マーキングに近い前記「Ｖ」の開放端を有しているゴルフボールパッティングを練習するための装置。
【請求項２１】
前記カーペットパッティング面は、約１０である米国ゴルフ協会スティンプメーター測定値を有している、請求項２０に記載の装置。
【請求項２２】
第一のほぼ「Ｖ」型のマーキングは、第二のほぼ「Ｖ」型のマーキングよりも前記パッティング位置マーキングに近く設けられている、請求項２０に記載の装置。
【請求項２３】
前記第一および第二のほぼ「Ｖ」型のマーキングの後の各連続したほぼ「Ｖ」型のマーキングは、前記ほぼ「Ｖ」型のマーキングよりも前記パッティング位置から連続して遠くに設けられている、請求項２２に記載の装置。
【請求項２４】
各連続したほぼ「Ｖ」のマーキングは、前記所パッティング位置マーキングから所定の間隔をあけて設けられている、請求項２３に記載の装置。
【請求項２５】
第一回収アームと、
第二回収アームと、
中心と、
容器とを備え、
前記第一および第二回収アームは、前記回収装置の前記中心から延出し、各回収アームは、前記アームが接触するゴルフボールを前記回収装置の前記中心の方へ流し込むように構成され、前記中心は、少なくとも１対の回転可能な間隔をあけて設けられている車輪を備え、各車輪はピックアップ面を有し、前記間隔をあけて設けられている車輪の前記ピックアップ面は、前記間隔をあけて設けられている車輪の表面間のゴルフボールを取り上げるように互いから所定の量だけ間隔をあけて設けられ、前記間隔をあけて設けられている車輪の前記ピックアップ面は、前記間隔をあけて設けられている車輪が回転するにつれて、ゴルフボールをパッティング面から上昇させ且つ前記ゴルフボールを前記容器に移動させるように構成されているゴルフボール回収装置。
【請求項２６】
前記間隔をあけて設けられている車輪を回転させるモーターを備えている、請求項２５に記載のゴルフボール回収装置。
【請求項２７】
第一回収アームは、第一ゴルフボールを第一方向に第一対の回転可能な間隔をあけて設けられている車輪のほうへ回収するように構成されている内側回収面を有し、第二回収アームは、第二ゴルフボールを第二方向に前記第一対の回転可能な間隔をあけて設けられている車輪のほうへ回収するように構成されている内側回収面を有し、前記第一方向は前記第二方向と異なる、請求項２５に記載のゴルフボール回収装置。
【請求項２８】
前記第一および第二回収アームは、前記回収装置の前記中心を中心としてほぼ互いの鏡像である、請求項２７に記載のゴルフボール回収装置。
【請求項２９】
前記回収装置を水平面に沿って前記第一方向に移動させる第一クラッチと、前記回収装置を前記水平面に沿って第二方向に移動させる第二クラッチとを備え、前記第二方向は前記第一方向と反対である、請求項２５に記載のゴルフボール回収装置。
【請求項３０】
前記第一クラッチは、第一モーターに駆動され、前記第二クラッチは、第二モーターに駆動される、請求項２９に記載のゴルフボール回収装置。
【請求項３１】
第一、第二および第三対の回転可能な間隔をあけて設けられている車輪を備え、各車輪はピックアップ面を有し、前記間隔をあけて設けられている車輪の前記ピックアップ面は、前記間隔をあけて設けられている車輪の表面間のゴルフボールを取り上げるように互いから所定の量だけ間隔をあけて設けられ、前記間隔をあけて設けられている車輪の前記ピックアップ面は、前記間隔をあけて設けられている車輪が回転するにつれて、ゴルフボールをパッティング面から上昇させ且つ前記ゴルフボールを回収容器に移動させるように構成され、ここで前記第一対の回転可能な間隔をあけて設けられている車輪は、前記回収装置の中心に設けられ、前記第二および第三対の回転可能な間隔をあけて設けられている車輪はそれぞれ前記回収装置の中心から所定の間隔をあけて設けられている、請求項２７に記載のゴルフボール回収装置。
【請求項３２】
前記回収装置は、前記回収装置をボーリングアレイレーンおよび対応している溝に沿って導く縁ガイドを備えている、請求項３１に記載のゴルフボール回収装置。
【請求項３３】
第二および第三対の回転可能な間隔をあけて設けられている車輪を備え、各車輪はピックアップ面を有し、前記間隔をあけて設けられている車輪の前記ピックアップ面は、前記間隔をあけて設けられている車輪の表面間のゴルフボールを取り上げるように互いから所定の量だけ間隔をあけて設けられ、前記第二対の間隔をあけて設けられている車輪の前記ピックアップ面は、前記第二対の間隔をあけて設けられている車輪が回転するにつれて、ゴルフボールを対応しているボーリングアレイレーンの一側のボーリングアレイ溝から移動させ且つ前記ゴルフボールを対応している容器に移動させるように構成され、前記第三対の間隔をあけて設けられている車輪の前記ピックアップ面は、前記第三対の間隔をあけて設けられている車輪が回転するにつれて、ゴルフボールを前記対応しているボーリングアレイレーンの他方の側のボーリングアレイ溝から移動させ且つ前記ゴルフボールを対応している容器に移動させるように構成されている、請求項２５に記載のゴルフボール回収装置。
【請求項３４】
前記第二対のピックアップ車輪の前記ピックアップ面にゴルフボールを回収するように構成されている第二対の回収アームと、前記第三対のピックアップ車輪の前記ピックアップ面にゴルフボールを回収するように構成されている第三対の回収アームとを備えている、請求項３３に記載のゴルフボール回収装置。
【請求項３５】
フィンガーが、一対の回転可能な間隔をあけて設けられている車輪によって取り上げられたゴルフボールと接触し且つ前記一対の回転可能な間隔をあけて設けられている車輪から容器へ前記ボールを移動させる、請求項２５に記載のゴルフボール回収装置。
【請求項３６】
各容器に対応しているフィンガーが、一対の回転可能な間隔をあけて設けられている車輪によって取り上げられたゴルフボールと接触し且つ前記一対の回転可能な間隔をあけて設けられている車輪から前記対応している容器へ前記ボールを移動させる、請求項３３に記載のゴルフボール回収装置。
【請求項３７】
ボーリングアレイレーンおよび対応している溝に沿って前記回収装置を導く縁ガイドを備えている、請求項３３に記載のゴルフボール回収装置。
【請求項３８】
前記回収装置の重量が、円形コードベルトの４つの接触点に載せられている、請求項２５に記載のゴルフボール回収装置。
【請求項３９】
前記回収装置の重量が、円形コードベルトの４つの接触点に載せられている、請求項３２に記載のゴルフボール回収装置。
【請求項４０】
請求項２５に記載のゴルフボール回収装置を備え、さらに横方向の幅よりも長い長手方向の長さを有し且つ所定のパッティング位置マーキングを有するカーペットパッティング面と、前記所定のパッティング位置マーキングから離れて設けられている複数のほぼ「Ｖ」型のマーキングとを備え、ほぼ「Ｖ」型の各マーキングは、「Ｖ」の閉鎖端よりも、前記所定のパッティング位置マーキングに近い前記「Ｖ」の開放端を有するゴルフボールパッティングシステム。
【請求項４１】
前記カーペットパッティング面は、ボーリングアレイレーン上に広げられるように構成されている、請求項４０に記載のゴルフボールパッティングシステム。
【請求項４２】
前記カーペットパッティング面は、約１０である米国ゴルフ協会スティンプメーター測定値を有している、請求項４０に記載のゴルフボールパッティングシステム。
【請求項４３】
第一のほぼ「Ｖ」型のマーキングは、第二のほぼ「Ｖ」型のマーキングよりも前記所定のパッティング位置に近く設けられている、請求項４０に記載のゴルフボールパッティングシステム。
【請求項４４】
前記第一および第二のほぼ「Ｖ」型のマーキングの後の各連続したほぼ「Ｖ」型のマーキングは、前記ほぼ「Ｖ」型のマーキングよりも前記所定のパッティング位置から連続して遠くに設けられている、請求項４３に記載のゴルフボールパッティングシステム。
【国際調査報告】
2008541946.tif 000009